(57)【特許請求の範囲】
【請求項１】
２個の光源と、
内面が各前記光源の光を反射する収納凹部を有して各前記光源をそれぞれ前記収納凹部内に保持するとともに前記収納凹部の開口を下方へ向けて天井に固定される器具本体とを備え、
各前記光源は、それぞれ、円柱形状の本体部と、前記本体部の軸方向の両端にそれぞれ設けられた口金とを有し、
各前記光源の前記本体部の外周面のうち、軸周りの所定角度のみ光が出射する発光部であり、残りの所定角度は光が出射しない非発光部であって、
前記器具本体において、前記光源よりも上側であって鉛直下方から見て前記光源に重ならない位置には、前記光源の光を通過させる窓穴が、各前記光源に対して少なくとも１個ずつ設けられていて、
各前記光源は、それぞれ、前記発光部の光軸を、鉛直下方に対し、対応する前記窓穴に近づけるような向きに傾けて保持されていて、
２個の前記光源は、前記本体部の軸方向を水平方向に向けて互いに平行とし、水平方向であって前記本体部の軸方向に直交する方向である並列方向に並べて前記器具本体に保持されていて、
前記窓穴は、鉛直下方から見て２個の前記光源を挟む両側にそれぞれ設けられ、
前記光源に挟まれて各前記光源の光をそれぞれ下方に反射する断面Ｖ字形状であって各前記光源よりも下方に突出する反射板を有し、
前記発光部と前記非発光部との境界を結ぶ平面が前記反射板の頂点を通る向きで各前記光源がそれぞれ保持されていることを特徴とする照明器具。
【請求項２】
前記器具本体は、前記窓穴から出射した光をより水平方向に近い向きに反射する天井用反射部を有することを特徴とする請求項１記載の照明器具。
【請求項３】
前記窓穴は、前記本体部の軸方向に沿った方向に並べて複数個設けられていることを特徴とする請求項１又は請求項２記載の照明器具。
【請求項４】
各前記窓穴はそれぞれ長円形状であることを特徴とする請求項１〜３のいずれか１項に記載の照明器具。
【請求項５】
前記器具本体において前記光源の軸方向に直交する方向から見て前記口金に重なる位置には前記窓穴が設けられていないことを特徴とする請求項１〜４のいずれか１項に記載の照明器具。
【発明の詳細な説明】
【技術分野】
【０００１】
本発明は、照明器具に関するものである。
【背景技術】
【０００２】
従来から、直管形の蛍光灯を点灯させる照明器具であって、蛍光灯の光を反射する器具本体に窓穴が設けられていて、器具本体で反射された光と窓穴を通った光との一方を直接照明として用いて他方を間接照明として用いるようにした照明器具が提供されている（例えば、特許文献１参照）。
【０００３】
また、近年、直管形の蛍光灯の代替として、発光ダイオードを用いた光源が提供されている（例えば、特許文献２参照）。上記の光源は、直管形の蛍光灯と同様の寸法形状に形成された円柱形状の本体部及び口金を有し、この本体部に、一面（以下、「実装面」と呼ぶ。）に複数個の発光ダイオードが実装された平板状のプリント配線板が収納されたものである。プリント配線板は本体部の軸方向に平行とされ、発光ダイオードは軸方向に沿って並べて実装される。
【０００４】
上記の光源においては、本体部のうち、プリント配線版の実装面を向けられた側のみが光が出射する発光部となり、プリント配線板の反対面（非実装面）が向けられた側は光が出射しない非発光部となる。
【先行技術文献】
【特許文献】
【０００５】
【特許文献１】特許第２８９７３１７号公報
【特許文献２】実用新案登録第３１５６２９２号公報
【発明の概要】
【発明が解決しようとする課題】
【０００６】
光源が収納される収納凹部が下側に開口して該収納凹部の底面（つまり光源の上側）に窓穴が設けられた器具本体を有する照明器具を想定する。このような照明器具では、収納凹部の内面で反射された光が直接照明として用いられ、窓穴を通過した光が天井面に照射されて間接照明として用いられる。
【０００７】
上記のような照明器具に上記の光源が用いられた場合であって、各光源の発光部がそれぞれ鉛直下方に向けられた場合、窓穴に入射する光が比較的に少なくなることにより、天井面の照度が比較的に低くなる。
【０００８】
本発明は、上記事由に鑑みて為されたものであり、その目的は、天井面の照度を高くすることができる照明器具を提供することにある。
【課題を解決するための手段】
【０００９】
本発明の照明器具は、２個の光源と、内面が各前記光源の光を反射する収納凹部を有して各前記光源をそれぞれ前記収納凹部内に保持するとともに前記収納凹部の開口を下方へ向けて天井に固定される器具本体とを備え、各前記光源は、それぞれ、円柱形状の本体部と、前記本体部の軸方向の両端にそれぞれ設けられた口金とを有し、各前記光源の前記本体部の外周面のうち、軸周りの所定角度のみ光が出射する発光部であり、残りの所定角度は光が出射しない非発光部であって、前記器具本体において、前記光源よりも上側であって鉛直下方から見て前記光源に重ならない位置には、前記光源の光を通過させる窓穴が、各前記光源に対して少なくとも１個ずつ設けられていて、各前記光源は、それぞれ、前記発光部の光軸を、鉛直下方に対し、対応する前記窓穴に近づけるような向きに傾けて保持されていて、２個の前記光源は、前記本体部の軸方向を水平方向に向けて互いに平行とし、水平方向であって前記本体部の軸方向に直交する方向である並列方向に並べて前記器具本体に保持されていて、前記窓穴は、鉛直下方から見て２個の前記光源を挟む両側にそれぞれ設けられ、前記光源に挟まれて各前記光源の光をそれぞれ下方に反射する断面Ｖ字形状であって各前記光源よりも下方に突出する反射板を有し、前記発光部と前記非発光部との境界を結ぶ平面が前記反射板の頂点を通る向きで各前記光源がそれぞれ保持されていることを特徴とする。
【００１１】
また、上記の照明器具において、前記器具本体は、前記窓穴から出射した光をより水平方向に近い向きに反射する天井用反射部を有することが望ましい。
【００１２】
さらに、上記の照明器具において、前記窓穴は、前記本体部の軸方向に沿った方向に並べて複数個設けられていることが望ましい。
【００１３】
また、上記の照明器具において、各前記窓穴はそれぞれ長円形状であってもよい。
【００１４】
さらに、上記の照明器具において、前記器具本体において前記光源の軸方向に直交する方向から見て前記口金に重なる位置には前記窓穴が設けられていないことが望ましい。
【発明の効果】
【００１５】
本発明によれば、発光部が鉛直下方に向けられる場合に比べ、窓穴に入射する光が多くなることで、天井面の照度を高くすることができる。
【図面の簡単な説明】
【００１６】
【図１】本発明の実施形態を示す説明図である。
【図２】同上を示す斜視図である。
【図３】同上を示す分解斜視図である。
【図４】（ａ）〜（ｃ）はそれぞれ同上を示し、（ａ）は平面図、（ｂ）は正面図、（ｃ）は左側面図である。
【図５】同上の比較例を示す説明図である。
【図６】同上の変更例を示す説明図である。
【発明を実施するための形態】
【００１７】
以下、本発明を実施するための最良の形態について、図面を参照しながら説明する。
【００１８】
本実施形態は、図１〜図４に示すように、直管形の２本の光源１と、各光源１をそれぞれ保持するとともに天井（図示せず）に対して固定される器具本体２とを備える。
【００１９】
各光源１は、それぞれ、円柱形状の本体部１１と、本体部１１の軸方向の両端にそれぞれ設けられた口金１４とを有する。
【００２０】
器具本体２は収納凹部２０を有しており、この収納凹部２０内に各光源１をそれぞれ収納及び保持し、収納凹部２０の開口を下方に向けて天井に固定される。本実施形態では、収納凹部２０の開口面は、器具本体２が天井に固定された状態では水平とされる平面である。収納凹部２０は、水平な断面での断面形状が長方形状となっており、内面が例えば白色であって光源１の光を反射する。また、収納凹部２０の内周面のうち、長手方向の両端には、それぞれ、光源１の１個ずつの口金１４が接続されるソケット３が２個ずつ、短手方向に並べて保持されている。各光源１は、それぞれ、各口金１４がソケット３に接続されることにより、軸方向を互いに平行として上記の長手方向（すなわち水平方向）に向け、上記の短手方向（すなわち水平方向であって軸方向に直交する方向。以下、「並列方向」と呼ぶ。）に並んで保持される。
【００２１】
また、収納凹部２０の底面の中央には、一端が交流電源（図示せず）に接続されて天井面から引き出された給電線６１の他端が挿通される電線挿通穴２１が設けられている。収納凹部２０の底面において、電線挿通穴２１の側方には、上記の給電線６１が接続される端子台４１と、この端子台４１と上記の給電線６１とを介して上記の交流電源から電力を供給される駆動装置４２とがそれぞれ固定されている。駆動装置４２は、上記の交流電源から供給された交流電力を変換した直流電力を、ソケット３を介して各光源１に供給することで、各光源１を点灯させる。上記のような端子台４１及び駆動装置４２はそれぞれ周知技術で実現可能であるので、詳細な図示並びに説明は省略する。
【００２２】
さらに、収納凹部２０の底面において電線挿通穴２１に対して長手方向の両側には、それぞれ、一端が天井に固定されたスタッドボルト６２の他端が挿通されるボルト挿通穴２２が設けられている。器具本体２は、上記のスタッドボルト６２が挿通されるワッシャ６３及び上記のスタッドボルト６２が螺合するナット６４により支持される。
【００２３】
また、軸方向に直交する断面での断面形状がＶ字形状であって光源１の光を反射する反射板５が、下方から見て端子台４１と駆動装置４２とをそれぞれ覆う形で器具本体２の下側に取り付けられている。反射板５において並列方向の両端には、それぞれ、２個ずつの係止突起５１が並列方向の外向きに突設されている。器具本体２の収納凹部２０の底面において、上記の係止突起５１の位置に対応する４箇所には、それぞれ、並列方向の内向きに開口した係止穴２３が、例えばエンボス加工により形成されており、各係止突起５１がそれぞれ係止穴２３に係入することで、反射板５は器具本体２に結合している。ここにおいて、反射板５の下端は各光源１よりも下方に位置する。
【００２４】
さらに、収納凹部２０の底面において、鉛直下方から見て２本の光源１を並列方向において挟む両側には、それぞれ、光源１の光を天井面に出射させる４個ずつの窓穴２４が、光源１の本体部１１の軸方向に平行な方向（以下、単に「軸方向」と呼ぶ。）に並べて設けられている。各窓穴２４は、それぞれ、軸方向に長い長円形状であって、軸方向での両端の内周面がそれぞれ断面半円形状の凹曲面となっている。窓穴２４が設けられる範囲は、軸方向に直交する方向から見て光源１の口金１４が窓穴２４内に露出しない程度に狭くされている。上記のように窓穴２４が軸方向に並べて複数個設けられていることにより、例えば上記４個ずつの窓穴２４が連結されたような１個ずつの窓穴２４が設けられる場合に比べ、機械的強度を高くすることができる。また、軸方向に直交する方向から見て光源１の口金１４が窓穴２４内に露出する場合に比べ、見栄えが改善される。
【００２５】
ここで、光源１の本体部１１は、透光性を有する材料からなる円筒の内側に、長方形平板状であって厚さ方向の一面（以下、「実装面」と呼ぶ。）に複数個の発光ダイオードが実装されたプリント配線板（図示せず）が、実装面を上記円筒の軸方向（つまり本体部１１の軸方向）に平行として収納及び保持されたものである。これにより、光源１の本体部１１の外周面のうち、上記の実装面が向けられた軸周り約１８０°の範囲は上記発光ダイオードの光が出射する発光部１２となり、残りの軸周り約１８０°の範囲は上記発光ダイオードの光が出射しない非発光部１３となっている。
【００２６】
本実施形態では、各光源１は、対応する窓穴２４（すなわち並列方向の外側の窓穴２４）に光を入射させやすいように、発光部１２の光軸面（対称面）を、鉛直下方ではなく、並列方向の外向き（つまり、対応する窓穴２４に光軸面を近づける向き）に傾けた斜め下方に向けられている。
【００２７】
具体的には、光源１の向きは、本体部１１の外周面における発光部１２と非発光部１３との境界同士を結んだ平面が、反射板５の下端を通るような向きとされている。
【００２８】
上記構成によれば、図５に示すように発光部１２が鉛直下方に向けられる場合に比べ、図１に矢印Ａ１で示すように窓穴２４に入射する光が多くなることで、天井面の照度を高くすることができる。
【００２９】
また、発光部１２の光軸面と鉛直線とがなす角度を上記の例よりも大きくする場合に比べ、下方から見て非発光部１３が目立ちにくい。
【００３０】
さらに、図６に示すように、窓穴２４の上側に、矢印Ａ２で示すように窓穴２４から出射した光源１の光を並列方向の外向きに反射する天井用反射部２５を設けてもよい。このような天井用反射部２５は、例えば曲げ起こしにより形成することができる。上記構成を採用すれば、天井面において下方から見て器具本体２に重ならない範囲の照度をより高くすることができる。
【符号の説明】
【００３１】
１  光源
２  器具本体
５  反射板
１１  本体部
１２  発光部
１３  非発光部
１４  口金
２０  収納凹部
２４  窓穴
２５  天井用反射部
【図１】
0005706770.tif 000002
【図２】
0005706770.tif 000003
【図３】
0005706770.tif 000004
【図４】
0005706770.tif 000005
【図５】
0005706770.tif 000006
【図６】
0005706770.tif 000007